(57)【要約】【課題】  肩掛けベルトの取り扱いが便利な電気掃除機を実現する。【解決手段】  掃除機本体１を吊り下げるように持ち上げる肩掛けベルト機構１０における肩掛けベルト１００１を巻き取るベルト巻き取りリール１００３６に巻き取り力を付与するゼンマイばね１００３５は、肩当てパット１００２を掴んで引き上げるようにして肩掛けベルトをベルト巻き取りリールから引き出すときに、肩掛けベルトの総てがベルト巻き取りリールから巻き出るまで掃除機本体を浮上させる大きさの巻き取り力にならないようにばね定数を設定する。【選択図】  図５
2005095506.tif 000002
【特許請求の範囲】
【請求項１】
巻き取りばねによって巻き取り力が付与されたベルト巻き取りリールと、このベルト巻き取りリールに捲回する肩掛けベルトと、肩掛けベルトを摺動可能に貫通させた肩当てパットとを備えた肩掛けベルト機構を掃除機本体に取り付けて該掃除機本体を肩掛けベルトによって吊り上げ可能にした電気掃除機において、
前記肩掛けベルト機構における巻き取りばねは、肩当てパットを掴んで引き上げるようにして肩掛けベルトをベルト巻き取りリールから引き出すときに、肩掛けベルトの総てがベルト巻き取りリールから巻き出るまで掃除機本体を浮上させる大きさの巻き取り力にならないようにばね定数を設定したことを特徴とする電気掃除機。
【請求項２】
請求項１において、前記巻き取りばねとしてゼンマイばねを使用したことを特徴とする電気掃除機。
【請求項３】
請求項１において、前記肩当てバットは、肩掛けベルトを引き出す過程または引き出した後に掃除機本体を浮上させる前には、肩当てパットに掃除機本体の前後方向と平行な水平方向の力を作用させることによって肩掛けベルトの所望の位置に摺動可能であることを特徴とする電気掃除機。
【請求項４】
請求項１〜３の１項において、前記肩掛けベルトは、繊維を長さ方向に滑り易くなるような形態で帯状に織った織物であることを特徴とする電気掃除機。
【請求項５】
請求項１〜４の１項において、前記肩当てパットは、内側に前記肩掛けベルトを挿通させる扁平な角筒形状体であり、柔軟性と摺動性と対摩耗性に優れた樹脂成形部品であることを特徴とする電気掃除機。
【請求項６】
請求項１において、前記肩掛けベルト機構は、前記ベルト巻き取りリールと巻き取りばねを収容するベルト巻き取り箱を備え、この巻き取り箱は、軸受心棒によってベルト巻き取りリールを回転可能に支持して内包する前記軸受心棒の軸心方向に偏平な角形形態に構成し、掃除機本体の後側面に形成した巻き取り箱嵌着部に前記軸受心棒の軸心が該掃除機本体の前後方向を向くようにして後側面に沿って偏平となるような姿勢で着脱可能に装着するように構成したことを特徴とする電気掃除機。
【請求項７】
巻き取りばねによって巻き取り力が付与されたベルト巻き取りリールと該ベルト巻き取りリールに捲回する肩掛けベルトを収容するベルト巻き取り装置と、このベルト巻き取り装置から引き出した肩掛けベルトを摺動可能に貫通させた肩当てパットとを備えた肩掛けベルト機構を掃除機本体に取り付けて該掃除機本体を肩掛けベルトによって吊り上げ可能にした電気掃除機において、
前記肩掛けベルト機構は、掃除機本体の後側部に前記ベルト巻き取り装置を取り付け、このベルト巻き取り装置から引き出した肩掛けベルトの先端に結合したフックを前記掃除機本体の先端部分および中央部分の上部に位置するように設けたベルト係止ピンに選択的に係合させることによって掃除機本体に取り付け、
前記ベルト巻き取り装置における巻き取りばねは、肩当てパットを掴んで引き上げるようにして肩掛けベルトをベルト巻き取りリールから引き出すときに、肩掛けベルトの総てがベルト巻き取りリールから巻き出るまで掃除機本体を浮上させる大きさの巻き取り力にならないようにばね定数を設定したことを特徴とする電気掃除機。
【発明の詳細な説明】
【技術分野】
【０００１】
本発明は、電気掃除機に関する。
【背景技術】
【０００２】
清掃作業中や部屋間の移動を容易にするために、掃除機本体に肩掛けベルトを設けた肩掛け型電気掃除機が提案されている。
【０００３】
この肩掛け型電気掃除機における肩掛けベルト機構は、掃除機本体の後部に設けたベルト巻き取り装置から引き出した肩掛けベルトの先端部を前部の係止部に係止するように取り付けられる。このようにして取り付けられた肩掛けベルトは、ベルト巻き取り装置が肩掛けベルトを常に巻き取るように作用していることから、掃除機本体の上側表面に沿って張られた状態となる。
【０００４】
このような肩掛け型電気掃除機の掃除機本体を肩掛けベルトによって吊り下げる形態で移動するときには、肩掛けベルトを掴んで引き出して該肩掛けベルトを引き上げることによって掃除機本体を引き上げ、その後は、肩掛けベルトを肩に掛けて荷重を支えるようにする。
【０００５】
【特許文献１】実開昭６１−１９０９５９号公報
【０００６】
【特許文献２】実開昭６１−１９０９６０号公報
【発明の開示】
【発明が解決しようとする課題】
【０００７】
このような肩掛け型電気掃除機は、肩掛けベルトから肩に掛かる荷重の集中を避けるために肩掛けベルトに肩当てパットを設けている。この肩当てパットは、肩掛けベルトをベルト巻き取り装置から引き出して肩に掛けたときに肩に掛かるように位置することが望ましい。しかしながら、肩掛けベルトは、不使用状態ではベルト巻き取り装置に収納されて肩当てパットが肩掛けベルトの先端部分に位置しており、従って、この肩当てパットを掴んで肩掛けベルトをベルト巻き取り装置から引き出したときに、肩当てパットを肩に当るような位置に揺動させることが難しい。
【０００８】
また、ベルト巻き取り装置が掃除機本体の後部に位置し、肩掛けベルトの先端を係止する係止部が前部に位置していると、収納状態にある肩掛けベルトは、掃除機本体の上面に沿って横たわる形態となることから、集塵手段（集塵袋やサイクロン集塵器）を保守するときの着脱操作の妨げになる。
【０００９】
本発明の１つの目的は、肩掛けベルトの取り扱いが便利な電気掃除機を実現することにある。
【００１０】
本発明の他の目的は、肩掛けベルトおよび肩当てパットの取り扱いが便利な電気掃除機を実現することにある。更に具体的は、ベルト巻き取り装置からの肩掛けベルトの引き出しと肩当てパットの位置調整を片手操作で容易に行える電気掃除機とすることにある。
【００１１】
本は明の更に他の目的は、肩掛けベルトおよび肩当てパットの摩耗劣化を軽減することができる電気掃除機を実現することにある。
【００１２】
本発明の更に他の目的は、肩掛けベルト機構を付加することによる掃除機本体の大型化を抑制することにある。
【００１３】
本発明の更に他の目的は、肩掛けベルト機構を付加することによって掃除機本体の操作性が低下するのを軽減することにある。
【課題を解決するための手段】
【００１４】
本発明は、巻き取りばねによって巻き取り力が付与されたベルト巻き取りリールと、このベルト巻き取りリールに捲回する肩掛けベルトと、肩掛けベルトを摺動可能に貫通させた肩当てパットとを備えた肩掛けベルト機構を掃除機本体に取り付けて該掃除機本体を肩掛けベルトによって吊り上げ可能にした電気掃除機において、
前記肩掛けベルト機構における巻き取りばねは、肩当てパットを掴んで引き上げるようにして肩掛けベルトをベルト巻き取りリールから引き出すときに、肩掛けベルトの総てがベルト巻き取りリールから巻き出るまで掃除機本体を浮上させる大きさの巻き取り力にならないようにばね定数を設定したことを特徴とする。
【００１５】
そして、前記巻き取りばねとしてゼンマイばねを使用したことを特徴とする。
【００１６】
のた、前記肩当てバットは、肩掛けベルトを引き出す過程または引き出した後に掃除機本体を浮上させる前には、肩当てパットに掃除機本体の前後方向と平行な水平方向の力を作用させることによって肩掛けベルトの所望の位置に摺動可能であることを特徴とする。
【００１７】
また、前記肩掛けベルトは、繊維を長さ方向に滑り易くなるような形態で帯状に織った織物であることを特徴とする。
【００１８】
また、前記肩当てパットは、内側に前記肩掛けベルトを挿通させる扁平な角筒形状体であり、柔軟性と摺動性と対摩耗性に優れた樹脂成形部品であることを特徴とする。
【００１９】
また、前記肩掛けベルト機構は、前記ベルト巻き取りリールと巻き取りばねを収容するベルト巻き取り箱を備え、この巻き取り箱は、軸受心棒によってベルト巻き取りリールを回転可能に支持して内包する前記軸受心棒の軸心方向に偏平な角形形態に構成し、掃除機本体の後側面に形成した巻き取り箱嵌着部に前記軸受心棒の軸心が該掃除機本体の前後方向を向くようにして後側面に沿って偏平となるような姿勢で着脱可能に装着するように構成したことを特徴とする。
【００２０】
また、本発明は、巻き取りばねによって巻き取り力が付与されたベルト巻き取りリールと該ベルト巻き取りリールに捲回する肩掛けベルトを収容するベルト巻き取り装置と、このベルト巻き取り装置から引き出した肩掛けベルトを摺動可能に貫通させた肩当てパットとを備えた肩掛けベルト機構を掃除機本体に取り付けて該掃除機本体を肩掛けベルトによって吊り上げ可能にした電気掃除機において、
前記肩掛けベルト機構は、掃除機本体の後側部に前記ベルト巻き取り装置を取り付け、このベルト巻き取り装置から引き出した肩掛けベルトの先端に結合したフックを前記掃除機本体の先端部分および中央部分の上部に位置するように設けたベルト係止ピンに選択的に係合させることによって掃除機本体に取り付け、
前記ベルト巻き取り装置における巻き取りばねは、肩当てパットを掴んで引き上げるようにして肩掛けベルトをベルト巻き取りリールから引き出すときに、肩掛けベルトの総てがベルト巻き取りリールから巻き出るまで掃除機本体を浮上させる大きさの巻き取り力にならないようにばね定数を設定したことを特徴とする。
【発明の効果】
【００２１】
本発明は、掃除機本体を吊り上げるベルト巻き取り装置における巻き取りばねのばね定数を、肩当てパットを片手で掴んで引き上げるようにして肩掛けベルトをベルト巻き取りリールから引き出すときに、肩掛けベルトの総てがベルト巻き取りリールから巻き出るまで掃除機本体を浮上させる大きさの巻き取り力にならないようにしたことによって、肩掛けベルトの引き出しと肩当てパットの摺動が容易となり、肩掛けベルトの取り扱いが便利な電気掃除機を実現となる。
【００２２】
更に具体的は、ベルト巻き取り装置からの肩掛けベルトの引き出しと肩当てパットの位置調整を片手操作で容易に行うことができ、肩掛けベルトおよび肩当てパットの摩耗劣化を軽減することもできる。
【００２３】
また、肩掛けベルト機構は、前記ベルト巻き取りリールと巻き取りばねを収容するベルト巻き取り箱を備え、この巻き取り箱は、軸受心棒によってベルト巻き取りリールを回転可能に支持して内包する前記軸受心棒の軸心方向に偏平な角形形態に構成し、掃除機本体の後側面に形成した巻き取り箱嵌着部に前記軸受心棒の軸心が該掃除機本体の前後方向を向くようにして後側面に沿って偏平となるような姿勢で着脱可能に装着するように構成したことにより、肩掛けベルト機構を付加することによる掃除機本体の大型化を抑制することができる。
【００２４】
また、肩掛けベルト機構は、掃除機本体の後側部に前記ベルト巻き取り装置を取り付け、このベルト巻き取り装置から引き出した肩掛けベルトの先端に結合したフックを前記掃除機本体の先端部分および中央部分の上部に位置するように設けたベルト係止ピンに選択的に係合させることによって掃除機本体に取り付けたことにより、肩掛けベルト機構を付加することによって掃除機本体の操作性、特に集塵ボックスの着脱操作性が低下するのを軽減することができる。
【発明を実施するための最良の形態】
【００２５】
本発明の電気掃除機は、ゼンマイばねによって巻き取り力が付与されたベルト巻き取りリールと該ベルト巻き取りリールに捲回する肩掛けベルトを収容するベルト巻き取り装置と、このベルト巻き取り装置から引き出した肩掛けベルトを摺動可能に貫通させた肩当てパットとを備えた肩掛けベルト機構を掃除機本体に取り付けて該掃除機本体を肩掛けベルトによって吊り上げるように持ち上げ可能にした電気掃除機において、
前記肩掛けベルト機構におけるベルト巻き取り装置は、軸受心棒によって前記ベルト巻き取りリールを回転可能に支持して内包する前記軸受心棒の軸心方向に偏平な角形形態のベルト巻き取り箱を備え、前記軸受心棒の軸心が掃除機本体の前後方向を向くようにして該掃除機本体の後側面に沿って偏平となるような姿勢で前記ベルト巻き取り箱を該掃除機本体の後側部に取り付け、このベルト巻き取り箱から引き出した肩掛けベルトの先端に結合したスイベルフックを前記掃除機本体の先端部分および中央部分の上部に位置するように設けたベルト係止ピンに選択的に係合させることによって掃除機本体に取り付け、
前記ベルト巻き取り装置におけるゼンマイばねは、肩当てパットを掴んで引き上げるようにして肩掛けベルトをベルト巻き取りリールから引き出すときに、肩掛けベルトの総てがベルト巻き取りリールから巻き出るまで掃除機本体を浮上させる大きさの巻き取り力にならないようにばね定数を設定する。
【実施例１】
【００２６】
図１〜図５は、この実施例１の電気掃除機における掃除機本体を示すものであり、図１は、前方斜め上方から見た外観斜視図、図２は、後方斜め上方から見た外観斜視図、図３は、ハンドルを起立させた状態の横方斜め上方から見た外観斜視図、図４は、ハンドルを起立させて集塵ケースを取り外した状態の前方斜め上方から見た外観斜視図、図５は、縦断側面図である。
【００２７】
図６〜図１１は、肩掛けベルト機構を示すものであり、図６は、全体を示す外観斜視図、図７は、ベルト巻き取り装置の縦断側面図、図８は、ベルト巻き取り装置の縦断背面図、図９は、肩当てパット部分の縦断側面図、図１０は、肩当てパット部分の縦断正面図、図１１は、肩当てパットの底面図である。
【００２８】
図１２は、肩掛けベルトを引き出した状態を示す電気掃除機の側面図である。
【００２９】
この実施例１における電気掃除機は、その先端に継ぎ手管を介して吸口を接続したホースを掃除機本体に接続して前記吸口から空気と共に塵埃を吸い込んで集塵する構成であるが、ここでは、掃除機本体部分について図示説明し、従来の電気掃除機と同様に構成する継ぎ手管および吸口部分についての図示説明は省略する。
【００３０】
掃除機本体１について、図１〜図５を参照して説明する。掃除機本体１の基体を構成する本体下ケース２は、先端に設けたホース接続口２０１と、このホース接続口２０１の後側に位置して集塵ボックス３を着脱自在に装着する集塵ボックス装着部２０２と、この集塵ボックス装着部２０２の後側に位置して電動送風機４を収容する電動送風機収容部２０３と、この電動送風機収容部２０３の下側に位置して電池パック５を収容する電池収容部２０４と、電池充電端子を設置する充電端子収容部２０５を備え、前部の底面に設置したキャスタ６と後部の両側面の下部に設置した車輪７によって床面を走行可能に支える構成である。
【００３１】
集塵ボックス装着部２０２は、上方から集塵ボックス３を着脱するために該上方を開放した構成であり、前記ホース接続口２０１は、この集塵ボックス装着部２０２に装着された集塵ボックス３の吸入口が連通するように構成する。
【００３２】
集塵ボックス３は、前段に位置する主集塵手段３０１と、後段に位置する補助集塵手段３０２と、上面に突出した取っ手部３０３を備える。前記主集塵手段３０１は、紙パックフィルタや布袋フィルタやサイクロン式集塵器などを使用することができるが、この実施例では、サイクロン式集塵器を採用した。このサイクロン式集塵器３０１は、詳細な図示説明は省略するが、前側に前記吸入口を備え、後側に排出口を備える。そして、サイクロン式集塵器３０１の排出口の後側に位置させて補助集塵手段３０２を着脱可能に設置する。前記補助集塵手段３０２は、この実施例では、濾紙を蛇腹状に折り曲げて通気面積を増大させるように構成した補助フィルタを採用した。
【００３３】
この集塵ボックス３は、取っ手部３０３を掴んで集塵ボックス装着部２０２に着脱操作する構成であり、集塵ボックス装着部２０２に装着されると、前記主集塵手段（サイクロン式集塵器）３０１の吸入口がホース接続口２０１と連通し、排出口が補助フィルタ３０２を介在させて電動送風機４の吸気口に連通する。
【００３４】
電動送風機４は、充電可能な電池パック５を電源とする直流ブラシレス電動機と該直流ブラシレス電動機に駆動されて回転する遠心ファンによって構成し、補助フィルタ３０２を通してサイクロン式集塵器３０１内の空気を吸い出し、電動送風機収容部２０３内に排気する。減圧したサイクロン式集塵器３０１は、ホース接続口２０１に接続されたホース１３（図１２参照）から含塵空気を吸い込んで遠心分離して集塵する。
【００３５】
電動送風機収容部２０３の上半領域は、本体上ケース８によって包囲し、電動送風機４からの排気を排気窓８０１から機外に放出するように構成する。この本体上ケース８には、この本体上ケース８に係合させた両端部を支点にして転角することによって起伏する弧状のハンドル９と、肩掛けベルト機構１０を取り付ける。
【００３６】
ハンドル９は、倒した状態にすると前記集塵ボックス３に突設した取っ手部３０３の突出部の側周囲（突出部の側面）を覆い、起立させると取っ手部３０３の側面を露出させる形態とする。
【００３７】
肩掛けベルト機構１０について、図６〜図１１を参照して説明する。肩掛けベルト機構１０は、肩掛けベルト１００１と肩当てパット１００２とベルト巻き取り装置１００３と外れ止め付きのスイベルフック１００４を備える。
【００３８】
肩掛けベルト１００１は、繊維を長さ方向に滑り易くなるような形態で帯状に織った織物であり、この実施例では、ＰＰ（polypropylene）繊維の織物を使用した。
【００３９】
肩当てパット１００２は、図９〜図１１に詳しく示すように、内側に前記肩掛けベルト１００１を挿通させる扁平な角筒形状体であり、掛ける肩に馴染むような柔軟性と肩掛けベルト１００１に対する摺動性と対摩耗性に優れた樹脂成形部品とする。更に具体的には、この肩当てパット１００２は、水素添加処理液重合形ＳＢＲ（styrene-butadiene rubber）を使用した成形部品であり、両端開口縁部は、対摩耗性および保形性に優れた部材（例えば、ＰＰ成形部材）を使用した扁平な角形の環状補強部品１００２１をインサート成形して内包し、中間部分にはベルト貫通方向に対して横方向の溝１００２２を形成してベルト貫通方向の可撓性を高めて肩の湾曲に沿って馴染むように湾曲し易い形態に構成する。
【００４０】
ベルト巻き取り装置１００３は、図７および図８に詳しく示すように、軸受心棒１００３１を起立させた基板１００３２と外側ケース１００３３を組み合わせて構成したベルト巻き取り箱１００３４内に巻き取りばねとして設けたゼンマイばね１００３５によって巻き取り方向の回転力を付与したベルト巻き取りリール１００３６を収容して前記軸受心棒１００３１に回転自在に支持させ、このベルト巻き取りリール１００３６の巻き胴部１００３６ａに捲回した前記肩掛けベルト１００１の自由端部側をベルト巻き取り箱１００３４のベルト出入口１００３７から導出し、前記肩当てパット１００２を貫通させた先端に前記スイベルフック１００４を結合した構成である。
【００４１】
ベルト巻き取り箱１００３４は、前記軸受心棒１００３１の軸心方向に扁平な略角形の箱形状に構成し、掃除機本体１の後側部を構成する本体上ケース８の後側面に形成した巻き取り箱嵌着部８０２に前記軸受心棒１００３１の軸心が掃除機本体１の前後方向を向くようにして本体上ケース８の後側面に沿って偏平となるような姿勢で着脱可能に装着する構成であり、前記ベルト出入口１００３７は、ベルト巻き取りリール１００３６の巻き胴部１００３６ａから巻き出た肩掛けベルト１００１をベルト巻き取り箱１００３４内で９０度捻って本体上ケース３の外面に沿った姿勢で導出するように該本体上ケース８の外面に沿った横長の長方形とする。このようなベルト巻き取り装置１００３（ベルト巻き取り箱１００３４）の構造は、これを掃除機本体１に取り付けることによる該掃除機本体１の前後方向の寸法の増加を抑制するのに有効である。
【００４２】
本体下ケース２の前記ホース接続口２０１の上側部分と本体上ケース８の前部の上側部分には、前記肩掛けベルト１００１の先端に結合したスイベルフック１００４を選択的に引っ掛けて係合することができるベルト係止ピン１１，１２を設置する。従って、ベルト係止ピン１１は、掃除機本体１の略先端部分の上部に位置し、ベルト係止ピン１２は、掃除機本体１の略中央部分の上部に位置することになる。ベルト係止ピン１１，１２は、ホース接続口２０１の上側部分と本体上ケース８の前部の上側部分に形成した凹部２０１１，８０３内に位置するように設置し、係合させたスイベルフック１００４の機外への突出量を低減する。
【００４３】
肩掛けベルト機構１０は、ベルト巻き取り装置１００３（ベルト巻き取り箱１００３４）を本体上ケース８の後側面に設けた巻き取り箱嵌着部８０２に嵌着し、肩掛けベルト１００１の先端のスイベルフック１００４をベルト係合ピン１１（１２）に係合させた形態に設置する。
【００４４】
そして、肩掛けベルト１００１を引き出して肩掛けして使用するときには、図１２に示すように、肩当てパット１００２を掴んで引き上げるように引っ張ることによって肩掛けベルト１００１をベルト巻き取り箱１００３４から引き出す。このとき、ベルト巻き取りリール１００３６は、ゼンマイばね１００３５を巻き込むむように回転して反力（ベルト巻き取り力）をゼンマイばね１００３４に蓄積する。この反力は、着床状態にある掃除機本体１を浮上させる向きに作用する。そこで、このときのゼンマイばね１００３５のベルト巻き取り力（反力）は、肩掛けベルト１００１の総てがベルト巻き取りリール１００３６から巻き出るまで掃除機本体１を浮上させる大きさにならないようにゼンマイばね１００３５のばね定数を設定する。
【００４５】
このようにゼンマイばね１００３５のばね定数を設定しておくことにより、肩当てパット１００２を掴んで引き上げることによって肩掛けベルト１００１を引き出す過程における負荷は、ゼンマイばね１００３５のベルト巻き取り力と肩当てバット１００２と肩掛けベルト１００１の摩擦抵抗となる。従って、肩掛けベルト１００１の総てを巻き出したときにゼンマイばね１００３５に蓄積するベルト巻き取り力を自由状態にした肩掛けベルト１００１を巻き取るに足る十分に小さな力となるように該ゼンマイばね１００３５のばね定数を小さく設定しておくことにより、肩当てパット１００２を片手で掴んで小さな引き上げ力で肩掛けベルト１００１を引き出すことができ、肩当てパット１００２と肩掛けベルト１００１の圧接による摩擦抵抗も小さいことから、肩掛けベルト１００１を引き出す過程または引き出した後（掃除機本体１を浮上させる前）に、掃除機本体１を任意の姿勢（例えば、図１２に示すような水平状態）に吊り下げることができるように、肩当てパット１００２に水平方向（掃除機本体１の前後方向と平行な方向）の力を作用させることによって該肩当てパット１００２を肩掛けベルト１００１の所望の位置に容易に摺動させることができる。
【００４６】
また、肩掛けベルト１００１に対して肩当てパット１００２を摺動させるときの摩擦抵抗は、肩掛けベルト１００１に作用する荷重によって該肩掛けベルト１００１が急峻に屈曲する肩当てパット１００２の両端開口縁部の環状補強部材１００２２の外側の縁との接触部分に大きな比率で集中して発生することになるが、肩掛けベルト１００１に作用する荷重が小さいときには肩掛けベルト１００１の屈曲により集中して発生する摩擦抵抗も小さく、従って、肩当てパット１００２の摺動が容易であり、肩当てパット１００２の両端開口縁部の環状補強部材１００２２も簡単な構成とすることができる。
【００４７】
そして、肩当てパット１００２を肩に当てて掃除機本体１を浮上させるように肩掛けベルト１００１を大きな力で持ち上げた状態では、掃除機本体１の全荷重が肩掛けベルト１００１に作用し、肩掛けベルト１００１は、肩当てパット１００２の両端開口縁部の環状補強部材１００２２の位置で急峻に屈曲して該部に大きな集中荷重が発生することになる。この状態では、肩掛けベルト１００１と肩当てパット１００２の間に発生する摩擦抵抗が大幅に増大することから、掃除機本体１の重心の影響で該掃除機本体１が傾くように肩当てパット１００２に対して肩掛けベルト１００１が摺動することがなく、掃除機本体１を所望の姿勢に保持することができる。
【００４８】
肩掛けベルト１００１は、その先端に結合したスイベルフック１００４をホース接続口２０１の上方に設けたベルト係合ピン１１に係合させて使用すると掃除機本体１の先端と後端に結合した形態で該掃除機本体１を吊り下げて比較的に安定した姿勢で持ち上げて移動させることができる。しかしながら、この形態で肩掛けベルト１００１をベルト巻き取り装置１００３に巻き取らせて収納すると、肩掛けベルト１００１は、集塵ボックス３と本体上ケース８とハンドル９の上面に沿った形態で前後方向に横たわることになり、ハンドル８の起伏操作および集塵ボックス３の着脱操作の障害になる。従って、ハンドル８の起伏操作および集塵ボックス３の着脱操作を頻繁に行うような使用形態では、肩掛けベルト１００１が集塵ボックス３とハンドル９の上に横たわるのを避けるように、スイベルフック１００４を本体ケース８の前部の上側部分に設けたベルト係止ピン１２に係合させた形態で使用するのが便利である。
【００４９】
また、肩掛けして移動（運搬）するように使用しないときには、スイベルフック１００４をベルト係合ピン１１（１２）から外し、ベルト巻き取り箱１００３４を巻き取り箱嵌着部８０２から取り外し、肩掛けベルト機構１０を掃除機本体１から取り外した形態としておくことによって、掃除機本体１を移動するときの荷重を軽くすることができる。
【図面の簡単な説明】
【００５０】
【図１】本発明の実施例１の電気掃除機における掃除機本体を前方斜め上方から見た外観斜視図である。
【図２】本発明の実施例１の電気掃除機における掃除機本体を、図２は、後方斜め上方から見た外観斜視図である。
【図３】本発明の実施例１の電気掃除機における掃除機本体をハンドルを起立させた状態の横方斜め上方から見た外観斜視図である。
【図４】本発明の実施例１の電気掃除機における掃除機本体をハンドルを起立させて集塵ケースを取り外した状態の前方斜め上方から見た外観斜視図である。
【図５】本発明の実施例１の電気掃除機における掃除機本体を縦断側面図である。
【図６】本発明の実施例１の電気掃除機における肩掛けベルト機構の全体を示す外観斜視図である。
【図７】本発明の実施例１の電気掃除機における肩掛けベルト機構のベルト巻き取り装置の縦断側面図である。
【図８】本発明の実施例１の電気掃除機における肩掛けベルト機構のベルト巻き取り装置の縦断背面図である。
【図９】本発明の実施例１の電気掃除機における肩掛けベルト機構の肩当てパット部分の縦断側面図である。
【図１０】本発明の実施例１の電気掃除機における肩掛けベルト機構の肩当てパット部分の縦断正面図である。
【図１１】本発明の実施例１の電気掃除機における肩掛けベルト機構の肩当てパットの底面図である。
【図１２】本発明の実施例１の電気掃除機の肩掛けベルトを引き出した状態を示す側面図である。
【符号の説明】
【００５１】
１…掃除機本体、２…本体下ケース、２０１…ホース接続口、２０２…集塵ボックス装着部、２０３…電動送風機収容部、２０４…電池収容部、２０５…充電端子収容部、３…集塵ボックス、３０１…主集塵手段（サイクロン集塵器）、３０２…補助集塵手段（補助フィルタ）、３０３…取っ手部、４…電動送風機、５…電池パック、６…キャスタ、７…車輪、８…本体上ケース、８０１…排気窓、８０２…巻き取り箱嵌着部、９…ハンドル、１０…肩掛けベルト機構、１００１…肩掛けベルト、１００２…肩当てパット、１００２１…環状補強部品、１００３…ベルト巻き取り装置、１００３４…ベルト巻き取り箱、１００３５…ゼンマイばね、１００３６…ベルト巻き取りリール、１００４…スイベルフック、１１，１２…ベルト係止ピン。
【図１】
2005095506.tif 000003
【図２】
2005095506.tif 000004
【図３】
2005095506.tif 000005
【図４】
2005095506.tif 000006
【図５】
2005095506.tif 000007
【図６】
2005095506.tif 000008
【図７】
2005095506.tif 000009
【図８】
2005095506.tif 000010
【図９】
2005095506.tif 000011
【図１０】
2005095506.tif 000012
【図１１】
2005095506.tif 000013
【図１２】
2005095506.tif 000014